(57)【特許請求の範囲】
【請求項１】
送風機と、
熱交換器と、
前記熱交換器に付着した結露水を貯留するドレンパンと、
前記熱交換器に設けられ、前記熱交換器に送風される空気を整流する整流板と、を備えた空気調和機の室内機において、
前記整流板は、
基材と抗菌剤とを混練して構成され、又は、抗菌剤が塗布された基材から構成され、
前記熱交換器に取り付けられ、前記熱交換器に送風される空気を整流する整流部と、
一端側が前記整流部に接続され、他端側が前記一端側よりも上側にくるように前記整流部から突設している複数の突起部とを有し、
前記突起部は、
前記熱交換器と接触している
ことを特徴とする空気調和機の室内機。
【請求項２】
前記整流板には、当該整流板と前記結露水との接触面積を増やすための溝が複数形成された
ことを特徴とする請求項１に記載の空気調和機の室内機。
【請求項３】
前記整流板には、当該整流板と前記結露水との接触面積を増やすとともに、前記結露水を前記整流板に留める時間を長くするための凹部が複数形成された
ことを特徴とする請求項１又は２に記載の空気調和機の室内機。
【請求項４】
前記整流板の下端には、水受け部が設けられ、該水受け部が、基材と抗菌剤とを混練して構成され、又は、抗菌剤が塗布された基材から構成され、前記整流板を伝ってきた前記結露水を保持してから前記ドレンパンに滴下させる
ことを特徴とする請求項１〜３のいずれかに記載の空気調和機の室内機。
【発明の詳細な説明】
【技術分野】
【０００１】
本発明は、空気調和機の室内機に関し、特に、ドレン水を抗菌する機能を有する空気調和機の室内機に関するものである。
【背景技術】
【０００２】
空気調和機の室内機には、熱交換器で生じた結露水（凝縮水）をドレン水として貯留するドレンパンが設けられているものがある。このドレンパンのうち、ドレン水を貯留する部分（水受け部材）は、一般的に、水漏れし難いＡＢＳ樹脂等を所定の形に形成したもので構成されている。そして、ドレンパンに貯留されたドレン水は、ドレンポンプに引き込まれ、その後、ドレンポンプに接続された排水管を介して排水される。
【０００３】
このドレンパンは、空気調和機の室内機の通気性が良い場所に設けられているとは限らないため、貯留されたドレン水に空気中の雑菌やカビが入り込み、繁殖しやすい環境状態となっている。ドレン水に空気中の雑菌やカビが繁殖すると、粘性が大きくなったり、生成物が発生したりして、上記ドレンポンプ、配管が詰まりやすくなってしまっていた。
【０００４】
それに伴い、ドレンパンの水受け部材に抗菌剤を混練したり、ドレンパンの水受け部材に抗菌剤を塗布したりして、ドレン水に雑菌やカビが繁殖してしまうことを抑制する技術が知られている。その他に、ドレンパンと別体であって抗菌作用を有する抗菌剤ユニットを、ドレンパンの水受け部材上の所定の位置に配置して、ドレン水に雑菌やカビが繁殖してしまうことを抑制する技術が開示されている（例えば、特許文献１）。
【０００５】
一方、空気調和機の室内機には、熱交換器に設けられ、送風機によって熱交換器に送り込まれた空気流れ方向を整えたり、流速を落としたりする整流板が設けられたものが開示されている（例えば、特許文献２参照）。
【先行技術文献】
【特許文献】
【０００６】
【特許文献１】特開２００６−１３８５４８号公報（例えば、図１０〜図１３参照）
【特許文献２】特開２００３−２６９７３８号公報（例えば、図１参照）
【発明の概要】
【発明が解決しようとする課題】
【０００７】
ドレンパンの水受け部材に抗菌剤を混練する技術では、該部材に対する抗菌剤の重量比が大きいと、強度が低下して破損の恐れがあるため、製造管理コストがかかってしまう恐れがあった。また、この技術では、抗菌剤の効果がなくなってしまった場合には、ドレンパンごと交換しなければならないので、メンテナンスコストがかかってしまうとともに、ドレンパン自体が大きいのでメンテナンスしにくいという問題があった。
【０００８】
また、ドレンパンの水受け部材に抗菌剤を塗布する技術では、抗菌剤を塗布する工程に、時間がかかるためにその分製造コストがかかってしまっていた。また、上記の抗菌剤を混練する技術と同様に、抗菌剤の効果がなくなってしまった場合には、ドレンパンごと交換しなければならないので、メンテナンスコストがかかってしまうとともに、ドレンパン自体が大きいのでメンテナンスしにくいという問題があった。
【０００９】
さらに、特許文献１に記載の技術では、抗菌ユニットがドレン水に溶出する量を確保するために、抗菌ユニットをドレン水に含浸させる必要がある。それを受けて、ドレンパンの水受け部材は、少なくとも抗菌ユニットが配置される部分が深くなるように形成されている。しかし、ドレンパンの水受け部材のうち抗菌ユニットが配置される部分が深く形成されると、該部分が薄肉となってしまい、断熱性が低減してしまう。ドレンパンの断熱性が低減すると、例えばドレンパン付近の部材（例えば、前面パネル等）が結露して、被空調空間に滴下してしまう恐れがある。
また、特許文献１に記載の技術でも、抗菌ユニットの効果がなくなってしまった場合には、大きなドレンパンを外して新しい抗菌ユニットに交換しなければならず、メンテナンスしにくいという問題があった。
【００１０】
本発明は、以上のような課題を解決するためになされたもので、ドレン水の抗菌を、ドレンパンの断熱性及び強度を損なわないようにしながら、低コスト、低メンテナンス作業負荷で実現することを目的としている。
【課題を解決するための手段】
【００１１】
本発明に係る空気調和機の室内機は、送風機と、熱交換器と、熱交換器に付着した結露水を貯留するドレンパンと、熱交換器に設けられ、熱交換器に送風される空気を整流する整流板と、を備えた空気調和機の室内機において、整流板は、基材と抗菌剤とを混練して構成され、又は、抗菌剤が塗布された基材から構成され、熱交換器に取り付けられ、熱交換器に送風される空気を整流する整流部と、一端側が整流部に接続され、他端側が一端側よりも上側にくるように整流部から突設している複数の突起部とを有し、突起部は、熱交換器と接触しているものである。
【発明の効果】
【００１２】
本発明に係る空気調和機の室内機によれば、上記構成を備えているので、ドレン水の抗菌を、ドレンパンの断熱性及び強度を損なわないようにしながら、低コスト、低メンテナンス作業負荷で実現することができる。
【図面の簡単な説明】
【００１３】
【図１】本発明の実施の形態１に係る空気調和機の室内機の全体図及び該全体図の点線Ａ−Ａにおける断面図である。
【図２】図１に示す室内機の熱交換器、整流板及びドレンパンの位置を説明する斜視図である。
【図３】図１に示す室内機の熱交換器に掛止された整流板の形状を説明するものである。
【図４】図１に示す室内機の熱交換器に掛止された整流板と、該整流板上の結露水の流れとを説明するものである。
【図５】本発明の実施の形態２に係る室内機の熱交換器に掛止された整流板の形状を説明するものである。
【図６】本発明の実施の形態３に係る室内機の熱交換器に掛止された整流板の形状を説明するものである。
【図７】本発明の実施の形態４に係る室内機の熱交換器に掛止された整流板の形状を説明するものである。
【図８】本発明の実施の形態５に係る室内機の熱交換器に掛止された整流板の形状を説明するものである。
【図９】本発明の実施の形態６に係る室内機の熱交換器に掛止された整流板の形状を説明するものである。
【図１０】本発明の実施の形態７に係る室内機の熱交換器に掛止された整流板の形状を説明するものである。
【図１１】本空気調和機の冷媒回路構成例を説明するものである。
【発明を実施するための形態】
【００１４】
以下、本発明の実施の形態を図面に基づいて説明する。
実施の形態１．
図１は、本発明の実施の形態１に係る空気調和機の室内機１００の全体図及び該全体図の点線Ａ−Ａにおける断面図である。なお、図１を含め、以下の図面では各構成部材の大きさの関係が実際のものとは異なる場合がある。室内機１００は、熱交換器で生成された結露水を貯留するドレンパンが設けられており、該ドレンパン内に貯留されたドレン水を抗菌する機能を有しているものである。
なお、本空気調和機の室内機１００は、化粧パネルを有し、この化粧パネルが露出する天井埋込形であるものとして説明するが、室内機１００全体が天井裏に設置される天井埋込形、室内機１００全体が露出する天吊り形及び壁掛け形等でもよく、特に、限定されるものではない。
【００１５】
［室内機１００の構成］
室内機１００の構成について図１〜図３に基づいて説明する。
図１は、本発明の実施の形態１に係る空気調和機（室内機１００）の全体図及び該全体図の点線Ａ−Ａにおける断面図である。図２は、図１に示す室内機１００の熱交換器３、整流板５（１）及びドレンパン２の位置を説明する斜視図である。図３は、図１に示す室内機の熱交換器３に設けられた整流板５（１）の形状を説明するものである。
【００１６】
室内機１００は、略箱形の室内機本体１０１の下面に、化粧パネル１０２が取り付けられて、外部筐体を構成したものである。該外部筐体の内部には、電動機４Ａによって駆動される送風機４、送風機４から送り込まれた空気を加温（放熱器として機能させたとき）又は冷却（蒸発器として機能させたとき）する熱交換器３及び熱交換器３で生成された結露水をドレン水として貯留するドレンパン２が、設けられている。
化粧パネル１０２には、中央部周辺に略正方形の吸込口１０５が形成されている。この吸込口１０５には、グリル１０６、室内機１００内に取り込む空気の塵等を除去するためのエアフィルタ１０７が設けられている。
また、略四角形の吸込口１０５のそれぞれの辺には、略長方形の吹出口１０４が、形成されている。この吹出口１０４には、吹き出す空気の方向を調整するための風向ベーン１０３が設けられている。
なお、室内機１００は、略箱形であるものとして説明するが、特に、限定されるものではない。また、送風機４は、図１において、ターボファンであるものとして記載したが、特に、限定されるものではない。さらに、吸込口１０５が、略正方形で、吹出口１０４が、略長方形であるものとして説明しているが、特に、限定されるものではない。
【００１７】
[熱交換器３について]
熱交換器３は、冷房運転時において、蒸発器として機能して空気を冷却し、暖房運転時において、凝縮器（放熱器）として機能して空気を加温するものである。熱交換器３は、図２に示すように、平面四角形形状（但し、該平面四角形の内部が中空）をしている。この熱交換器３の該中空の部分には、送風機４が配設されている。そして、送風機４から送り込まれる空気（図２の矢印Ａ参照）は、熱交換器３の冷媒配管３Ａを流れる冷媒と熱交換して加温又は冷却されるようになっている。
熱交換器３は、特に、冷房運転時において表面に結露水が生じ、この結露水をドレン水として貯留するドレンパン２が、熱交換器３の下方に設けられている。このドレンパン２については、後述の[ドレンパン２について]にて説明するものとする。また、熱交換器３の側面には、図２に示すように、整流板５（１）（エアカット）が設けられている。この整流板５（１）については、後述の[整流板５（１）について]で説明するものとする。  なお、熱交換器３は、例えば伝熱管と多数のフィンとにより構成されるクロスフィン式のフィン・アンド・チューブ型熱交換器で構成するとよい。
【００１８】
［ドレンパン２について］
ドレンパン２は、熱交換器３で生成された結露水をドレン水として貯留するものである。ドレンパン２は、熱交換器３で生成される結露水を確実に受け止めることができるように、熱交換器３の下方に設けられている。このドレンパン２は、断熱性に富んだ発泡スチロールを所定の形状（例えば、皿形状等）に形成したものの表面を、ＡＢＳ樹脂で構成したスキン層２Ａで覆い、一体形成して構成するとよい。仮に、ドレンパン２を、発泡スチロールだけで構成すると、断熱性は確保できるが、貯留されたドレン水が浸透して漏れしてしまう恐れがある。そこで該発泡スチロールをＡＢＳ樹脂で構成したスキン層２Ａで覆うことで、ドレン水が浸透して漏れてしまうことを防止している。なお、スキン層２Ａの厚さは、例えば、０．５ｍｍ〜３ｍｍとするとよい。また、スキン層２Ａは、ＡＢＳ樹脂で構成したものとして説明したが、水の浸透を防ぐ材料であれば、特に、限定されるものではない。
ドレンパン９に貯留されたドレン水は、熱交換器３から滴下した結露水の分だけ増加し、適宜ドレンポンプ（図示省略）によって排水される。
【００１９】
［整流板５（１）について］
整流板５（１）は、送風機４から送り込まれる空気の流れを整えるとともに、流速を落とし、熱交換器３で発生してしまうユーザーにとって不快な風切り音（ヒュルヒュル音、流体音）を低減するものである。本整流板５（１）には、水溶性の抗菌剤又は抗菌成分を有する物質が混練されており、熱交換器３で生成された結露水を、整流板５（１）を伝いドレンパン２に流れる過程で、抗菌する機能を有している。なお、この整流板５（１）が、熱交換器３に設けられる数は、特に、限定されるものではない。
【００２０】
整流板５（１）は、図３に示すように、略棒形状の部材である。そして、整流板５（１）は、その長手方向が鉛直方向と平行であって、かつ、熱交換器３の側面のうち送風機４に対して向かい合う側（内側面）に、掛止されているものである。
整流板５（１）には、整流板５（１）の上部から下部にかけて３つの爪部５Ａが設けられている。整流板５（１）は、爪部５Ａが熱交換器冷媒配管３Ａに嵌め込まれることで、熱交換器３に掛止される。なお、爪部５Ａは、整流板５（１）に設けられる数は、特に限定されるものではない。なお、整流板５（１）と爪部５Ａは、一体形成されたものでもよいし、別体であってもよい。
【００２１】
整流板５（１）は、例えばポリプロピレン等の樹脂材料を基材とし、該基材に水溶性の抗菌剤又は抗菌成分を有する物質を混練（練り込まれている）して構成したものである。該水溶性の抗菌剤としては、特に、限定されるものではないが、例えば、有機系物質であるＰＨＭＧ（ポリヘキサメチルグアニジンリン酸塩）等とするとよい。また、該抗菌成分を有する物質としては、特に、限定されるものではないが、例えば、無機系物質である銀等とするとよい。なお、整流板５（１）には、上記抗菌剤と上記抗菌成分とが、両方混練されて構成したものでもよいことは言うまでもない。また、本整流板５（１）は、上記したように、水溶性の抗菌剤又は抗菌成分を有する物質が混練されているものとして説明したが、塗布されていてもよいことは言うまでもない。さらに、整流板５（１）、樹脂材料を基材としたものとして説明したが、樹脂材料に限定されるものではない。以下の説明において、抗菌剤又は抗菌成分を有する物質を、単に抗菌剤と称するものとする。
【００２２】
図２に示すように、熱交換器３に整流板５（１）を設ける理由は以下の通りである。
空気調和機３００の運転時に送風機４で発生させた風が熱交換器３に対して斜めに通過し（斜め方向から熱交換器３に衝突し）、風切り音（ヒュルヒュル音・流体音）が発生することがある。このため、熱交換器３に整流板５（１）を複数設けて、熱交換器３への空気の流れを整えたり、熱交換器３に衝突する際の空気の流速を落としたりすることにより、風切り音を低減している  
【００２３】
［動作について］
図４は、図１に示す室内機１００の熱交換器３に掛止された整流板５（１）と、該整流板５（１）上の結露水６の流れとを説明するものである。図１１は、本空気調和機の冷媒回路構成例を説明するものである。
本空気調和機３００の動作について図１、図４及び図１１に基づいて説明する。
図１１に示すように、空気調和機３００は、熱交換器３、圧縮機２０１、室外熱交換器２０２及び絞り弁２０３を有し、これらが冷媒配管２０４で接続されて冷凍サイクルを構成したものである。なお、熱交換器３は室内機１００に設けられ、圧縮機２０１、室外熱交換器２０２、及び絞り弁２０３が、室外機２００に設けられているものとして説明するものとする。また、空気調和機３００の動作の説明にあたり、冷房運転を例にして説明するものとする。つまり、空気調和機３００は、熱交換器３を蒸発器として機能させ、室外熱交換器２０２を放熱器として機能させるということである。
【００２４】
圧縮機２０１の吸引側に流入した低圧低温の冷媒は、圧縮機２０１で高温高圧ガス冷媒として、圧縮機２０１の吐出側から送り出される。この高温高圧ガス冷媒は、室外熱交換器２０２に流入して放熱し、室外熱交換器２０２から流出する。放熱して室外熱交換器２０２で放熱した冷媒は、絞り弁２０３で減圧されて、気液２相状態となる。そして、気液二相状態の冷媒は、熱交換器３に流入して吸熱し、熱交換器３から流出する。この熱交換器３から流出した低温低圧ガス冷媒は、再び圧縮機２０１の吸引側に流入する。
【００２５】
このように、冷媒を循環させることで、熱交換器３は、図１に示すような送風機４から送り込まれた空気を冷却することができるようになっている。つまり、熱交換器３を流れる冷媒が、送風機４から送り込まれた空気から吸熱して、該空気を冷却するということである。該冷却された空気は、吹出口から被空調空間に送り込まれるようになっている。
【００２６】
ここで、熱交換器３を蒸発器として機能させた場合には、特に、熱交換器３の表面で結露水６が生じやすい。この結露水６は、熱交換器３の下方に設けられたドレンパン２に直接貯留されるものもあるが、図４に示すように整流板５（１）を伝ってドレンパン２に貯留されるものもある。この整流板５（１）を伝ってドレンパン２に貯留される結露水６に、上記抗菌剤が溶出するので、ドレンパン２には、上記抗菌剤を含んだドレン水が貯留されるようになっている。
【００２７】
［整流板５（１）の効果について］
整流板５（１）は、ポリプロピレン樹脂等と水溶性の抗菌剤とが混練されて構成したものである。従って、該抗菌剤が、整流板５（１）を伝う過程で結露水６に溶出して、その後、ドレンパン２内に貯留される。そして、該抗菌剤によって、ドレン水は抗菌されるので、ドレン水の粘性が大きくなったり、生成物が発生したりして、ドレンポンプや排水管が詰まってしまうことが抑制される。こうしてドレン水は抗菌されることにより、ユーザーにとって不快な悪臭等が被空調空間に送り込まれてしまうことが抑制されることは言うまでもない。
【００２８】
整流板５（１）に混練された抗菌剤の効果がなくなってしまったときに、整流板５（１）を交換する場合においては、ドレンパン２に比べて安価な整流板５（１）を交換するだけでよいので、その分コストを低減することができる。一方、整流板５（１）に混練された抗菌剤の効果がなくなってしまったときに、再度抗菌剤を塗布する場合においては、ドレンパン２に比べて表面積が小さい整流板５（１）に抗菌剤を塗布すればよいので、その分抗菌剤のコストを低減することができる。
また、整流板５（１）を交換（メンテナンス）したり再度塗布する際の作業負荷は、ドレンパン２を外す作業が無い分だけ、低減することができる。
さらに、実施の形態１に係る空気調和機３００にドレン水を抗菌する機能を持たせるにあたり、ドレンパン２に改良を加えるものではないので、ドレンパン２の断熱性が損なわれたり、強度が低下してしまったりすることがないことは言うまでもない。
【００２９】
実施の形態２．
図５は、本発明の実施の形態２に係る室内機１００の熱交換器３に掛止された整流板５（２）の形状を説明するものである。なお、本実施の形態２では、実施の形態１と同一部分には同一符号とし、実施の形態１との相違点を中心に説明するものとする。
【００３０】
実施の形態２に係る整流板５（２）は、該整流板５（２）の側方に、複数の突起部５Ｃ（裾野部、ヒダ形状部等等と称してもよい）が突設され、該複数の突起部５Ｃが、熱交換器と接触するように突設されたものである。つまり、整流板５（２）は、図５に示すように、例えば複数の棒状部材の突起部５Ｃが、実施の形態１に係る整流板５（１）の側面より分岐し、突起部５Ｃの分だけ熱交換器３との「接触面積」を大きくしたものである。
なお、該「接触面積」とは、所定量の結露水６が、整流板５（２）からドレンパン２に滴下されるまでに、整流板５（２）に接触した面積をさす（以下の説明でも同様）。
この突起部５Ｃも実施の形態１に係る整流板５（１）と同様に、ポリプロピレン樹脂等と水溶性の抗菌剤とが混練されて構成したものである。この整流板５（２）は、突起部５Ｃの分だけ、熱交換器３との「接触面積」を大きくしたので、熱交換器３の結露水６が整流板５（２）に導かれやすくなっている。また、整流板５（２）は、突起部５Ｃの分だけ、結露水６との「接触面積」が大きくなる。なお、突起部５Ｃは、図５においては、実施の形態１に係る整流板５（１）の両側面から複数延設されたものとして記載されているが、片方の側面だけから複数延設されたものでもよい。また、突起部５Ｃは、複数に限定されるものではない。
【００３１】
なお、突起部５Ｃは、上記のように棒状の部材であるものとして説明したが、例えば曲線状の部材でもよく、特に、限定されるものではない。また、整流板５（２）は、突起部５Ｃが一体に形成されたものであってもよいし、別体であってもよいことは言うまでもない。
【００３２】
［整流板５（２）の効果について］
整流板５（１）の有する効果に加えて、整流板５（２）は、熱交換器３と接触する面積が大きくなっているので、熱交換器３で生じた結露水が整流板５（２）に導かれやすくなっている。これにより、熱交換器３で生じた結露水６のうち、熱交換器３から直接ドレンパン２に滴下する量に対して、整流板５（２）を伝ってからドレンパン２に滴下する量が多くなるので、ドレンパン２に貯留される抗菌剤の濃度を大きくし、ドレン水を抗菌することができる。
また、整流板５（２）は、突起部５Ｃの分だけ、結露水６との「接触面積」が大きくなっているので、所定量の結露水６に対する抗菌剤の溶出量が増加するので、ドレンパン２に貯留される抗菌剤の濃度を大きくし、ドレン水に雑菌やカビが繁殖してしまうことを抑制することができる。
【００３３】
実施の形態３．
図６は、本発明の実施の形態３に係る室内機１００の熱交換器３に掛止された整流板５（３）の形状を説明するものである。なお、本実施の形態３では、実施の形態１、２と同一部分には同一符号とし、実施の形態１、２との相違点を中心に説明するものとする。
【００３４】
実施の形態３に係る整流板５（３）は、図６に示すように、複数の溝５Ｄが、実施の形態１に係る整流板５（１）に形成されたものであり、溝５Ｄの分だけ結露水６と整流板５（３）との「接触面積」を大きくしたものである。なお、溝５Ｄの形状は、特に限定されるものではない。また、溝５Ｄの形成される位置は、送風機４から送風される空気に対して上流端側Ｔには形成されていないとよい。
【００３５】
［整流板５（３）の効果について］
整流板５（１）の有する効果に加えて、整流板５（３）は、溝５Ｄの分だけ、結露水６との「接触面積」が大きくなり、所定量の結露水６に対する抗菌剤の溶出量が増加するので、ドレンパン２に貯留される抗菌剤の濃度を大きくし、ドレン水に雑菌やカビが繁殖してしまうことを抑制することができる。
【００３６】
実施の形態４．
図７は、本発明の実施の形態４に係る室内機１００の熱交換器３に掛止された整流板５（４）の形状を説明するものである。なお、本実施の形態４では、実施の形態１〜実施の形態３と同一部分には同一符号とし、実施の形態１〜実施の形態３との相違点を中心に説明するものとする。
【００３７】
実施の形態４に係る整流板５（４）は、図７に示すように、複数の凹部５Ｅが、実施の形態１に係る整流板５（１）に形成されたものであり、凹部５Ｅの分だけ結露水６と整流板５（４）との「接触面積」を大きくしたものである。凹部５Ｅは、図７に示すように、整流板５（４）の側面に形成された凹みである。この溝５Ｄの形状は、特に限定されるものではない。
【００３８】
［整流板５（４）の効果について］
整流板５（１）の有する効果に加えて、整流板５（４）は、凹部５Ｅの分だけ、結露水６との「接触面積」が大きくなり、所定量の結露水６に対する抗菌剤の溶出量が増加するので、ドレンパン２に貯留される抗菌剤の濃度を大きくし、ドレン水に雑菌やカビが繁殖してしまうことを抑制することができる。
また、整流板５（４）は、凹部によって、結露水６の保持力が大きくなっている。つまり、結露水６が整流板５（４）からドレンパン２に滴下されるまでの時間が長くなり、所定量の結露水６に対する抗菌剤の溶出量が増加するので、ドレンパン２に貯留される抗菌剤の濃度を大きくし、ドレン水に雑菌やカビが繁殖してしまうことを抑制することができる。
【００３９】
実施の形態５．
図８は、本発明の実施の形態５に係る室内機１００の熱交換器３に掛止された整流板５（５）の形状を説明するものである。なお、本実施の形態５では、実施の形態１〜実施の形態４と同一部分には同一符号とし、実施の形態１〜実施の形態４との相違点を中心に説明するものとする。
【００４０】
実施の形態５に係る整流板５（５）は、図８に示すように、実施の形態１に係る整流板５（１）に、実施の形態３に係る複数の溝５Ｄが形成されるとともに、実施の形態４に係る複数の凹部５Ｅが形成されたものである。
【００４１】
［整流板５（５）の効果について］
整流板５（１）の有する効果に加えて、整流板５（５）は、溝５Ｄ及び凹部５Ｅの分だけ、結露水６との「接触面積」が大きくなり、所定量の結露水６に対する抗菌剤の溶出量が増加するので、ドレンパン２に貯留される抗菌剤の濃度を大きくし、ドレン水に雑菌やカビが繁殖してしまうことを抑制することができる。
【００４２】
実施の形態６．
図９は、本発明の実施の形態６に係る室内機１００の熱交換器３に掛止された整流板５（６）の形状を説明するものである。なお、本実施の形態６では、実施の形態１〜実施の形態５と同一部分には同一符号とし、実施の形態１〜実施の形態５との相違点を中心に説明するものとする。
【００４３】
実施の形態６に係る整流板５（６）は、図９に示すように、整流板５（６）の下端部に、結露水６を保持するための水受け部５Ｂが設けられたものである。この水受け部５Ｂも実施の形態１に係る整流板５（１）と同様に、ポリプロピレン樹脂等と水溶性の抗菌剤とが混練されて構成したものである。この水受け部５Ｂの形状は、特に、限定されるものではないが、図９に示すように、例えば側面のうちのいずれか一つの面及び上面が開放された略箱形状等とするとよい。このような形状とすることにより、整流板５（６）を伝って水受け部５Ｂの上方から流れてきた結露水６を一時的に保持して抗菌剤を溶出させ、その後、矢印Ｇのように下方のドレンパン２に適宜滴下させることができる。
【００４４】
［整流板５（６）の効果について］
整流板５（１）の有する効果に加えて、整流板５（６）は、水受け部５Ｂが設けられており、結露水６が整流板５（６）からドレンパン２に滴下されるまでの時間が長くなり、所定量の結露水６に対する抗菌剤の溶出量が増加するので、ドレンパン２に貯留される抗菌剤の濃度を大きくし、ドレン水に雑菌やカビが繁殖してしまうことを抑制することができる。
【００４５】
実施の形態７．
図１０は、本発明の実施の形態７に係る室内機１００の熱交換器３に掛止された整流板５（７）の形状を説明するものである。なお、本実施の形態７では、実施の形態１〜実施の形態６と同一部分には同一符号とし、実施の形態１〜実施の形態６との相違点を中心に説明するものとする。
【００４６】
実施の形態７に係る整流板５（７）は、図１０に示すように、実施の形態１に係る整流板５（１）に、実施の形態３に係る複数の溝５Ｄが形成されるとともに、実施の形態４に係る複数の凹部５Ｅが形成され、さらに、実施の形態６に係る水受け部５Ｂが設けられたものである。
【００４７】
［整流板５（７）の効果について］
整流板５（１）の有する効果に加えて、整流板５（７）は、溝５Ｄ及び凹部５Ｅの分だけ結露水６との「接触面積」が大きくなるとともに、水受け部５Ｂの分だけ結露水６が整流板５（７）からドレンパン２に滴下されるまでの時間が長くなり、所定量の結露水６に対する抗菌剤の溶出量が増加するので、ドレンパン２に貯留される抗菌剤の濃度を大きくし、ドレン水に雑菌やカビが繁殖してしまうことを抑制することができる。
【００４８】
[その他]
なお、実施の形態１〜実施の形態７に記載の内容を適宜組み合わせてもよいことは言うまでもない。
【符号の説明】
【００４９】
２  ドレンパン、２Ａ  スキン層、３  熱交換器、３Ａ  熱交換器冷媒配管、４  送風機、４Ａ  電動機、５（１）  整流板、５（２）  整流板、５（３）  整流板、５（４）  整流板、５（５）  整流板、５（６）  整流板、５（７）  整流板、５Ａ  爪部、５Ｂ  水受け部、５Ｃ  突起部、５Ｄ  溝  ５Ｅ  凹部、６  結露水、１００  室内機、１０１  室内機本体、１０２  化粧パネル、１０３  風向ベーン、１０４  吹出口、１０５  吸込口、１０６  グリル、１０７  エアフィルタ、２００  室外機、２０１  圧縮機、２０２  室外熱交換器、２０３  絞り弁、２０４  冷媒配管、３００  空気調和機。
【図１】
0005425034.tif 000002
【図２】
0005425034.tif 000003
【図３】
0005425034.tif 000004
【図４】
0005425034.tif 000005
【図５】
0005425034.tif 000006
【図６】
0005425034.tif 000007
【図７】
0005425034.tif 000008
【図８】
0005425034.tif 000009
【図９】
0005425034.tif 000010
【図１０】
0005425034.tif 000011
【図１１】
0005425034.tif 000012